(57)【要約】      （修正有）【課題】絡み現象を避ける巻きタイプの安全ロープ構造を提供する。【解決手段】伸縮バネのようなロープ体１０に撚成し、両端にあるリング体２０でロープ体１０の両端をそれぞれクランプ３０でロープ体１０の端部分をロープ体１０の本体部分としっかりと繋げる。ロープ体１０には複数の糸で形成した芯を含む伸縮バネのように撚成する。【選択図】図８
0003200371.tif 000002
【実用新案登録請求の範囲】
【請求項１】
複数の糸（１１１）で形成した芯（１１）を含む伸縮バネのようなロープ体（１０）に撚成し、芯（１１）の外周面に包むカバー体（１２）があり、該カバー体（１２）の断面には第一軸糸（１２１）及びそれより長い第二軸糸（１２２）をそれぞれロープ体（１０）の両端にあるリング体（２０）に設置し、該リング体（２０）にはロープ体（１０）の両端をそれぞれある固定構造及び保護される物体に繋げられることを特徴とする巻きタイプ安全ロープ。
【請求項２】
前記安全ロープは、該カバー体（１２）の内側に第一平面（１２３）を形成することを特徴とする請求項１に記載の巻きタイプ安全ロープ。
【請求項３】
前記安全ロープは、該カバー体（１２）の両側にそれぞれ第二平面（１２４）を形成し、ロープ体（１０）が伸びていない状態である時に両側にある第二平面（１２４）が互い寄り合わせることを特徴とする請求項２に記載の巻きタイプ安全ロープ。
【請求項４】
前記安全ロープは、該リング体（２０）にはリング形態であり、ロープ体（１０）の端部分をそれぞれ内側に巻き返し、またクランプ（３０）でロープ体（１０）の端部分をロープ体（１０）の本体部分としっかりと繋がり、該リング体（２０）には更にキーホルダー（４０）を設置し、ロープ体（１０）にリング体構造のところと素早く繋げることを提供することを特徴とする請求項２或いは３に記載の巻きタイプ安全ロープ。
【請求項５】
前記安全ロープは、止め部（２１）及び中空部（２２）を含む該リング体（２０Ａ）が芯（１１）の端に繋がり、該止め部（２１）は芯（１１）の端に設置しながら、リベット締め方法で芯（１１）に固定し、該リング体（２０Ａ）にはロープ体（１０）にリング体構造のところと素早く繋げるキーホルダー（４０）を設置することを特徴とする請求項２或いは３に記載の巻きタイプ安全ロープ。
【考案の詳細な説明】
【技術分野】
【０００１】
この考案は安全ロープに係り、特に巻きタイプの安全ロープに関する。
【背景技術】
【０００２】
高所等での危険な作業（例えば高層ビルの壁面或いは建築用の足場など）を行う人にとって、最も重要なのは人身安全であり、作業期間に体を安定した丈夫な構造に繋ぐため、高所等で作業する前に必ず安全ロープを準備していて、作業時の不注意などで危険を遭う場合に安全ロープで作業者の体を引きつり、転落事故から避けるのである。
【０００３】
前述した人身安全を守る安全ロープの構造形態には実際運用した中で、コストを下げるために通常は緩衝能力の低い裁縫した織物で作成し、万一転落事故に遭った場合には命を救えるが、織物が締める瞬間にその他傷害を掛ける恐れがあり、また織物自体が弾力性が悪く、垂らしている安全ロープには作業者の邪魔になり、逆に事故を引き起こすなどの問題点がある。
【０００４】
その次は手元の道具を注意しなければならなく、作業時の不注意などで道具を落とした場合、低いフロアで作業している同僚や工事現場に歩いている人或いは車に打ち、高所の高さに道具自身の重さを加えての加速度には大きなダメージを与えることになる。作業中の安全のため、通常は安全ロープに道具を体と繋いで、同じく伸縮能力がなく、使用上には単なる体に繋ぐ媒介でしかなく、何らかの付加機能がない。使用上の不便などの原因で、ユーザーが使用に怠けて、使用率が低いのである。
【０００５】
前述した問題に対し、ある業者が安全ロープの表面に伸縮性のあるカバー体を覆いながら、伸縮能力を提供するため、成型する時にバネ状に巻き、安全ロープの不使用時の長さを減少させるのである。しかしながら、市販の薄いカバー体を持つ安全ロープには、安全ロープ自体の弾力性を上げることなく、ただ芯の間の摩擦を避けるためであり、ユーザーが多数の道具を腰に掛ける場合、安全ロープが道具の重量により下に垂らし、近隣するリング体の間隔が開くことにより、近隣する安全ロープが引っかかり、道具をスムーズに取れることが出来なくなり、高所作業の不便を呼び、危険でさえ引き起こしやすくなってしまうのである。また、弾力限度の悪い安全ロープには、よく伸びすぎることで、バネ状に戻すときにロープ自体の絡み合いを起こし、使用できないことになるのである。
【０００６】
前述した問題や需要に対し、シンプルで使いやすい新たな構造の開発は関連業界の突破すべき研究開発目標や技術課題である。
【０００７】
そのため、考案者が多年に亘ってこの関連製品の生産開発や設計経験を用いて、上述した目標に対し、設計や慎重な評価をした後、確実に実用性のある考案を提出するのである。
【考案の概要】
【考案が解決しようとする課題】
【０００８】
この考案の目的は確実に実用性のあり、且つ大幅な伸縮後或いはフリーの時に絡み現象を避ける新たな巻きタイプの安全ロープを提供することである。
【課題を解決するための手段】
【０００９】
上記課題を解決するためになされた巻きタイプの安全ロープは、複数の糸で形成した芯を含む伸縮バネのようなロープ体に撚成し、芯の外周面に包むカバー体があり、該カバー体にはロープの延伸方向に沿って第一軸糸及び第二軸糸を設けられ、第一軸糸の長さが第二軸糸の長さより長く、この構造でロープを大幅な延伸後での絡み状態を避けるため、ロープの弾力限度を強化する。それぞれロープの両端にあるリング体はロープの両端をそれぞれ固定構造及び保護されたい物体に繋ぎ、意外な事故を発生する時に保護された物体の墜落を防止する機能を提供することを要旨としている。
【００１０】
この考案は従来の技術と比べ、該カバー体に更に良い弾力性やロープ全体の弾力限度を上げ、意外発生時に更なる良い緩衝効果を提供し、並びに大幅な延伸後に従来巻きタイプの安全ロープで発生する絡み現象を避ける実用性がある且つ経済的効果を持つことを要旨としている。
【考案の効果】
【００１１】
この考案の「巻きタイプの安全ロープ」にはロープ体のオリジナルな構造形態や技術特徴で、カバー体がロープ体の延伸方向に第一軸糸及びそれと交差する第二軸糸があり、並びに第一軸糸の長さが第二軸糸の長さより長い構造の特性によって、従来の技術と比べて、次のような効果がある。
【００１２】
1.近隣する第二平面が互いより寄せているため、近隣するロープ体がフリー或いは延伸して復帰時に横向きの絡み現象を発生しない効果がある。
【００１３】
2.該カバー体がロープ体に更なる良い弾力性を提供し、墜落事故を発生する時に墜落物に対する更に良い緩衝効果がある。
【００１４】
3.該カバー体がロープ体全体の弾力限度を上げることができ、大幅な延伸後でも、復帰時に従来の巻きタイプの安全ロープで発生する絡み現象を避ける効果がある。
【図面の簡単な説明】
【００１５】
【図１】本考案の横向き図。
【図２】本考案局部の縦向き断面図。
【図３】本考案局部の横向き断面図。
【図４】本考案のロープ体の断面図。
【図５】本考案のロープ体の断面輪郭図。
【図６】本考案のロープ体の第二実施例の断面図。
【図７】本考案のリング体の第二実施例の局部断面図。
【図８】本考案のリング体の第三実施例の横向図。
【図９】本考案の使用状態図。
【図１０】本考案図９の局部拡大図
【考案を実施するための形態】
【００１６】
まず、図１、２、３、４のように、それが本考案の巻きタイプの安全ロープのより良い実施例であり、実施例に掲示されたのは、具体的に本考案を説明するために用いられる内容であり、本考案の特許請求範囲を制限してはならないのである。上述した巻きタイプの安全ロープは伸縮バネのようなロープ体１０の両端にあるリング体２０に設置し、該リング体２０にはロープ体１０の両端をそれぞれある固定構造及び保護される物体（例えば高層ビルの壁面或いは建築用の足場など）に繋げられることで墜落を防止する機能を提供する。
【００１７】
該ロープ体１０には複数の糸１１１で形成した芯１１を含む伸縮バネのようなロープ体１０に撚成し、該糸１１１には実際使用時の安全係数より木綿糸或いはワイヤで形成する。該カバー体１２には押し出し成型方法で芯１１の外周面に包み、冷却は完了していない未完成状態にバネ状に巻き、冷却定型後には巻きタイプのロープ体１０を完成させる構造である。図５のように、該カバー体１２にはロープ体１０の延伸方向に沿って第一軸糸１２１及びそれと交差する第二軸糸１２２があり、該第一軸糸１２１の長さは第二軸糸１２２の長さより長いのである。また図６のように、カバー体１２の内側に第一平面１２３を形成し、且つ該カバー体１２の両側にそれぞれ第二平面１２４を形成し、ロープ体１０が伸びていない状態である時に両側にある第二平面１２４が互い寄り合わせるのである。
【００１８】
図１のように、該リング体２０にはリング形態であり、ロープ体１０の端部分をそれぞれ内側に巻き返し、またクランプ３０でロープ体１０の端部分をロープ体１０の本体部分としっかりと繋がる。図７のように、リング体２０Ａの第二実施形態であり、本実施例の中では該リング体２０Ａが芯１１の端に繋がり、該止め部２１は芯１１の端に設置しながら、リベット締め方法で芯１１に固定するのである。
【００１９】
図８のように、本考案をリング体と素早く繋ぐため、該リング体２０には更にキーホルダー４０を設置することによって、本考案の使用範囲を拡大し、使用上の利便性や安全性を上げるのである。
【００２０】
図２、４、５のように、本考案のカバー体１２の断面を楕円形のように設計し、且つロープ体１０の延伸方向はカバー体１２の長軸と平行させ、該カバー体１２に更なる良い弾力性やロープ体１０全体の弾力限度を上げる他、意外を発生時に更なる良い緩衝効果を提供しながら、大幅な延伸後より回復時で発生する安全ロープの絡み現象を避けるのである。
【００２１】
また第９、１０図のように、ユーザーが高所での作業時に上ったり下がったりすることが不便であり、作業効率を上げるために通常は使用する予定の道具を全て本考案の安全ロープやベルトに合わせて腰に掛け、そして掛けた不用道具のロープ体１０が繋ぐ第二平面１２４と互いより寄せているため、横向きの絡み現象を起こさない。たとえ使用中の道具を回収しても、復帰中のロープ体１０には第二平面１２４と隙間があるが、近隣のロープ体１０との横向き絡み現象も起こさず、使用したい道具をスムーズに取ることができ、作業効率を上げるのである。
【００２２】
上述した実施例に掲示されたのは、具体的に本考案を説明するために用いられる内容であり、文の中で専門用語で説明してきたが、それらを以って、本考案の特許請求範囲を制限してはならず、当該技術の分かる者が、本考案の考えやコンセプトを理解したうえ、それらの変更や改造を行って、それと同等な効果を得たとしても、それらの変更や改造は全て、後述の特許請求範囲に含まれるものとする。
【符号の説明】
【００２３】
１０      ロープ体
１１      芯
１１１      線材
１２      カバー体
１２１      第一軸糸
１２２      第二軸糸
１２３      第一平面
１２４      第二平面
２０、２０Ａ      リング体
２１      止め部
２２      中空部
３０      クランプ
４０      キーホルダー
【図１】
0003200371.tif 000003
【図２】
0003200371.tif 000004
【図３】
0003200371.tif 000005
【図４】
0003200371.tif 000006
【図５】
0003200371.tif 000007
【図６】
0003200371.tif 000008
【図７】
0003200371.tif 000009
【図８】
0003200371.tif 000010
【図９】
0003200371.tif 000011
【図１０】
0003200371.tif 000012